(57)【要約】【課題】屋内において室と室とを連通する開口部に設けた引き戸と縦型ブラインドとによって、通風とその遮断を行うことができ、光及び／又は視線との関係で開口部の開口面積を広くしたり狭くしたりと調整することができ、しかも、引き戸と縦型ブラインドによって室内が狭められてしまうのを防ぐことができ、引き戸の開閉操作も容易に行うことができる屋内開口部通風構造を提供する。【解決手段】通風用の開口部４に、通風を遮断する引き戸５と、縦型ブラインド６とが左右方向に直列状態に設けられ、引き戸と縦型ブラインドとは連動し、引き戸を開口部側から後退させ開口部を開いていくと、縦型ブラインドが開口部側に拡げられていくようになされていると共に、引き戸を開口部側に進出させ開口部を閉じていくと、縦型ブラインドが畳まれていくようになされている。【選択図】      図１
2010133136.tif 000002
【特許請求の範囲】
【請求項１】
屋内において室と室とを連通する通風用の開口部に、通風を遮断する引き戸と、垂直軸線回りで回動可能なスラットを備えた縦型ブラインドとが左右方向に直列状態に設けられ、
前記引き戸と縦型ブラインドとは連動し、引き戸を開口部側から後退させ開口部を開いていくと、縦型ブラインドが開口部側に拡げられていくようになされていると共に、引き戸を開口部側に進出させ開口部を閉じていくと、縦型ブラインドが畳まれていくようになされていることを特徴とする屋内開口部通風構造。
【請求項２】
引き戸進出方向に存在する縦枠に引き戸と向き合う凹所が設けられ、引き戸が進出して開口部を閉じた状態において、畳まれ状態となった縦型ブラインドが前記凹所内に収容され、引き戸が凹所開口部を閉じて縦型ブラインドが隠蔽されるようになされている請求項１に記載の屋内開口部通風構造。
【請求項３】
開口部を開いた状態で引き戸を収容する戸袋が設けられている請求項２に記載の屋内開口部通風構造。
【請求項４】
引き戸の後端側の縁部に張り出し部が設けられ、引き戸が戸袋内から開口部側に進出して開口部を閉じた状態において、前記張り出し部が戸袋側に当接して、引き戸の戸袋側が遮音されるようになされている請求項３に記載の屋内開口部通風構造。
【発明の詳細な説明】
【技術分野】
【０００１】
本発明は、屋内開口部通風構造に関する。
【背景技術】
【０００２】
住宅等の建物の屋内において、室と室とを仕切る間仕切り壁に開口部を設け、屋内が広く通風されるようにしたり、その開口部に開閉建具を設け、必要に応じてそのような通風を遮断することができるようになされたものは、従来より提供されている。
【０００３】
また、建物の外壁開口部に設けられたサッシ窓の屋内側に、縦型ブラインドを設けることも、従来より行われている。
【０００４】
そこで、上記のような屋内の間仕切り壁の開口部に、開閉建具として引き戸を設置すると共に、該引き戸と重なるように縦型ブラインドを設置し、引き戸を開いた状態で、縦型ブラインドのスラットの向きを変え、光や視線との関係で、開口部の開口面積を広くしたり狭くしたりと調整することができるようにすることも考えられる。
【特許文献１】特開平７−２９２７９４号公報
【特許文献２】特開平５−１００８１号公報
【発明の開示】
【発明が解決しようとする課題】
【０００５】
しかしながら、上記のように、縦型ブラインドを開口部において引き戸と重なるように設置する構造とした場合、それらの合計厚さ寸法が大きくなって、室内側への出っ張りが大きくなって室内を狭くしてしまうという問題を生じることがある。また、縦型ブラインドを設置したことによって、その背後に位置する引き戸の開閉操作が非常に厄介なものになってしまいやすいという問題もある。
【０００６】
本発明は、上記のような問題点に鑑み、建物の屋内において室と室とを連通する開口部に設けた引き戸と縦型ブラインドとによって、通風とその遮断を行うことができると共に、光及び／又は視線との関係で開口部の開口面積を広くしたり狭くしたりと調整することができ、しかも、引き戸と縦型ブラインドによって室内が狭められてしまうのを防ぐことができ、引き戸の開閉操作も容易に行うことができる屋内開口部通風構造を提供することを課題とする。
【課題を解決するための手段】
【０００７】
上記の課題は、屋内において室と室とを連通する通風用の開口部に、通風を遮断する引き戸と、垂直軸線回りで回動可能なスラットを備えた縦型ブラインドとが左右方向に直列状態に設けられ、
前記引き戸と縦型ブラインドとは連動し、引き戸を開口部側から後退させ開口部を開いていくと、縦型ブラインドが開口部側に拡げられていくようになされていると共に、引き戸を開口部側に進出させ開口部を閉じていくと、縦型ブラインドが畳まれていくようになされていることを特徴とする屋内開口部通風構造によって解決される（第１発明）。
【０００８】
この構造では、引き戸を開閉することにより、開口部を通じた通風とその遮断を行うことができると共に、引き戸を開き、縦型ブラインドを開口部に拡げた状態にし、スラットの向きを変更することにより、光及び／又は視線との関係で開口部の開口面積を広くしたり狭くしたりと調整することができる。
【０００９】
しかも、引き戸と縦型ブラインドとは直列状態に設けられているので、引き戸と縦型ブラインドによって室内が狭められてしまうのを防ぐことができる。
【００１０】
加えて、引き戸と縦型ブラインドとは連動し、引き戸を開口部側から後退させ開口部を開いていくと、縦型ブラインドが開口部側に拡げられていくようになされていると共に、引き戸を開口部側に進出させ開口部を閉じていくと、縦型ブラインドが畳まれていくようになされているので、開口部が引き戸で閉じられた状態において、縦型ブラインドが、引き戸を後退させて開口部を開いていく妨げとはならず、また、開口部が開かれ、縦型ブラインドが開口部に拡げられた状態で、該縦型ブラインドが、引き戸を閉じていく妨げとはならず、引き戸の開閉操作を容易に行うことができる。
【００１１】
第１発明において、引き戸進出方向に存在する縦枠に引き戸と向き合う凹所が設けられ、引き戸が進出して開口部を閉じた状態において、畳まれ状態となった縦型ブラインドが前記凹所内に収容され、引き戸が凹所開口部を閉じて縦型ブラインドが隠蔽されるようになされているとよい（第２発明）。
【００１２】
この場合は、引き戸が開口部を閉じた通風阻止状態において、縦型ブラインドが隠蔽された状態となり、外観上、スッキリとした通風阻止状態を形成することができる。
【００１３】
第２発明において、開口部を開いた状態で引き戸を収容する戸袋が設けられているとよい（第３発明）。この場合は、開口部が開いた通風状態において引き戸が戸袋に収容され、いずれか一方または両方の室から見た場合の開口部の外観を、縦型ブラインドだけが存在するスッキリとしたものにすることができる。
【００１４】
第３発明において、引き戸の後端側の縁部に張り出し部が設けられ、引き戸が戸袋内から開口部側に進出して開口部を閉じた状態において、前記張り出し部が戸袋側に当接して、引き戸の戸袋側が遮音されるようになされているとよい（第４発明）。この場合は、開口部を引き戸で閉じた状態における遮音性能を向上することができ、しかも、それを簡素な構造で実現することができる。
【発明の効果】
【００１５】
本発明は、以上のとおりのものであるから、建物の屋内において室と室とを連通する開口部に設けた引き戸と縦型ブラインドとによって、通風とその遮断を行うことができると共に、光及び／又は視線との関係で開口部の開口面積を広くしたり狭くしたりと調整することができ、しかも、引き戸と縦型ブラインドによって室内が狭められてしまうのを防ぐことができ、引き戸の開閉操作も容易に行うことができる。
【発明を実施するための最良の形態】
【００１６】
次に、本発明の実施最良形態を図面に基づいて説明する。
【００１７】
図１及び図２に示す実施形態の屋内開口部通風構造において、１は間仕切り壁であり、該間仕切り壁１には、室２と室３とを連通する通風用の開口部４が設けられている。該開口部４は、床面から天井面近くまでの高さ寸法を備えたものからなっていて、該開口部４には、同開口部４を通じて通風を遮断する引き戸５と、該引き戸５と同じ高さ寸法を備えた縦型ブラインド６とが左右方向に直列状態となるように設けられている。
【００１８】
そして、これら引き戸５と縦型ブラインド６とは連動するようになされていて、図１（イ）に示すように、引き戸５を開口部４側から後退させて開口部４を開いた状態にしていくと、縦型ブラインド６が開口部４側に拡げられていき、図１（ハ）に示すように、引き戸５を開口部４側に進出させて開口部４を閉じていくと、縦型ブラインド６が畳まれていくようになされている。
【００１９】
また、図１（ロ）に示すように、縦型ブラインド６が開口部４側に拡げられた状態において、縦型ブラインド６のスラット７…を垂直軸線回りで回動させてそれらの向きを変更することにより、光及び／又は視線との関係で開口部４の開口面積を広くしたり狭くしたりと調整することができるようになされている。なお、スラット７…は、例えば、布、木材などからなっている。
【００２０】
本実施形態では、図１に示すように、上記の間仕切り壁１に、開口部４と隣接して戸袋８が設けられており、該戸袋８は引き戸５の両面を隠す態様のものからなっていて、引き戸５は、開口部４から後退して開口部４を開いた状態において、開口部４側に突出することなく、戸袋８内に収容されるようになされている。
【００２１】
また、引き戸５の進出方向に存在する縦枠９には、図１（ニ）に示すように、引き戸５と向き合う凹所１０が設けられ、引き戸５が進出して開口部４が閉じられた状態において、畳まれ状態となった縦型ブラインド６が凹所１０内に収容され、引き戸５が、その前端面で凹所１０の開口部を閉じて、縦型ブラインド６が隠蔽されるようになされている。また、同時に、引き戸５の前端面が縦枠９に当接してそれらの間が遮音されるようになされている。
【００２２】
更に、図１（ホ）に示すように、引き戸５の後端側の縁部には、張り出し部１１，１１が設けられ、図１（ハ）に示すように、引き戸５が戸袋８内から開口部４側に進出して開口部４を閉じた状態において、図１（ホ）に示すように、張り出し部１１，１１が戸袋８側の当接部１２，１２に当接して、引き戸５の戸袋８側が遮音されるようになされている。
【００２３】
なお、引き戸５は、図２（イ）（ロ）に示すように、縦型ブラインド６の各スラット７…を吊っているレール１３と同じレールに吊られた吊り戸になっていて、各スラット７…の向きを変更するために備えられているスペーサー兼用の操作索条１４が、引き戸５に設けられた滑車１５に掛けられて引き戸５と縦型ブラインド６とが連結され、縦型ブラインド６は、戸袋８側への引き戸５の動きに連動して開口部４側に拡げられていくようになされていると共に、縦枠９側への引き戸５の動きの中で、各スラット７…が引き戸５の前端面に次々と押し動かされていくことで畳まれていくようになされている。１６は下側のスペーサー索条、１７，１７は滑車である。
【００２４】
上記の屋内開口部通風構造では、引き戸５を開閉することにより、図１（イ）（ハ）に示すように、開口部４を通じた通風とその遮断を行うことができると共に、引き戸５を開いて縦型ブラインド６を開口部４に拡げた状態にし、図１（ロ）に示すように、スラット７…の向きを変更することにより、光及び／又は視線との関係で開口部４の開口面積を広くしたり狭くしたりと調整することができる。
【００２５】
しかも、引き戸５と縦型ブラインド６とは直列状態に設けられているので、引き戸５と縦型ブラインド６によって室内が狭められてしまうのを防ぐことができ、加えて、引き戸５と縦型ブラインド６とは、上に述べたような態様で、連動するようになされているので、開口部４が引き戸５で閉じられた状態において、縦型ブラインド６が、引き戸５を後退させて開口部４を開いていく妨げとはならず、また、開口部４が開かれ、縦型ブラインド６が開口部４に拡げられた状態で、縦型ブラインド６が、引き戸５を閉じていく妨げとはならず、引き戸５の開閉操作を容易に行うことができる。
【００２６】
また、引き戸５が進出して開口部４を閉じた状態において、畳まれ状態となった縦型ブラインド６は、縦枠９の凹所１０内に収容され、引き戸５が凹所１０の開口部を閉じて縦型ブラインド６を隠蔽するようになされているので、開口部４を、外観上、スッキリとした通風阻止状態にすることができる。
【００２７】
しかも、開口部４を開いた状態で引き戸５を収容する戸袋８が設けられているので、開口部４が開いた通風状態において引き戸５を戸袋に収容して両方の室２，３から見た場合の開口部４の外観を、縦型ブラインド６だけが存在するスッキリとしたものにすることができる。
【００２８】
また、開口部４を引き戸５で閉じた状態において、張り出し部１１が戸袋８側の当接部１２に当接するようになされているので、引き戸５の戸袋８側の遮音性能を高めることができる。のみならず、本実施形態では、引き戸５の前端面が縦枠９に当接してそれらの間が遮音されるようになされているので、より一層高い遮音性能を発揮することができる。
【００２９】
以上に、本発明の実施形態を示したが、本発明はこれに限られるものではなく、発明思想を逸脱しない範囲で各種の変更が可能である。例えば、上記の実施形態では、戸袋８が、引き戸５の両面を隠す態様のものからなっている場合を示したが、引き戸５の一方の面のみを隠し、もう一方の面を室に開放するタイプのものであってもよく、その場合でも、一方の室側から見た場合の開口部４を、外観上、スッキリとした通風阻止状態にすることができる。
【００３０】
また、開口部の開口サイズや、開口部を設ける高さ位置に制限はないし、引き戸５は、透光性を有するものからなっていてもよいし、遮光性のものからなっていてもよい。
【図面の簡単な説明】
【００３１】
【図１】実施形態の屋内開口部通風構造を示すもので、図（イ）は開口部を通風可能に開いた状態の断面平面図、図（ロ）は縦型ブラインドで開口部の開口面積を調整した状態の断面平面図、図（ハ）は開口部を閉じて通風阻止状態にした断面平面図、図（ニ）は図（ハ）の要部拡大断面平面図、図（ホ）は図（ハ）の他の要部拡大断面平面図である。
【図２】図（イ）は引き戸と縦型ブラインドとの連結構造を示す斜視図、図（ロ）は縦型ブラインドにおけるスラットとレールとの連結構造を示す断面側面図である。
【符号の説明】
【００３２】
２，３…室
４…開口部
５…引き戸
６…縦型ブラインド
７…スラット
８…戸袋
９…縦枠
１０…凹所
１１…張り出し部
１２…当接部
【図１】
2010133136.tif 000003
【図２】
2010133136.tif 000004